(57)【要約】【課題】固定したピッチや上半角をつけることなく、変化する風力に適応して回転し、しかも安定した飛揚性能を有するヘリコプター型回転翼凧の主ローターの構造の実現。【解決手段】主ローターは数本のロッドと平面的なローター型の軟質シートで成り立ち、ピッチや上半角をつけることなく回転ジョイントに取り付け取り外し可能で、シート部分への風圧の変化に対応してローターは回転してピッチと上半角を自然に形成し、回転中心上部の錐台の形状をしたシートは、ローターと伴に回転して平面的なローターのみでは上下が反転しがちな傾向を防止し、加えてパラシュートのように風に対する方向性が常に保たれて左右への傾きを是正し、主ローター自体に安定性能が付加され、より広範囲な風力に適応することができる。【選択図】図１
0003111012.tif 000002
【実用新案登録請求の範囲】
【請求項１】
数本のロッドと特別なピッチをもたない平面のローター型の軟質シートで風力によって回転し、このローターのシートに繋がる錐台の形状をしたシートをローターの回転中心上部に付加し、ロッドは上反角をつけることなく回転の軸に単に垂直関係となるように回転ジョイントに取り付け取り外し可能であることを特徴とするヘリコプター型回転翼凧の主ローター。
【考案の詳細な説明】
【技術分野】
【０００１】
本考案は、特別なピッチや上半角の設定を必要とせず、しかも安定した飛揚性能を有するヘリコプター型回転翼凧の主ローターの構造に関するものである。
【背景技術】
【０００２】
ヘリコプター型の回転翼凧においての主要な問題点は、風力による主ローターの回転によって生じるトルク作用と反トルク作用による機体の不安定性をいかに解消して安定した飛揚を確保するかにある。その解決法を、自然の風力のみで回転して揚がるヘリコプター型の回転翼凧においても、実機ヘリコプターのテールローターと同様に主ローター以外にその解決法を求めるのが一般的である。
【非特許文献１】「日本の凧の会会報第２４号９２頁ヘリコプター型回転翼凧の研究、関口武」においては、大きな背ビレや複数の回転翼によって、
【非特許文献２】「日本の凧の会会報第２４号８７頁超薄型ワンボックス回転凧、山下平八郎」は、長い尾や円形尾翼によって、
【非特許文献３】「日本の凧の会会報第２７号８７頁ヘリコプター・カイト、本考案者脇ヒカル」は、移動式糸目によって解決を図る。しかし、その解決策は一定の限られた狭い風力範囲内での飛揚が可能であるに過ぎず、自然の風力によるヘリコプター型回転翼凧の安定した制御の難しさを改めて露呈する状況であった。
【０００３】
これに対して
【特許文献３】実用新案出願番号２００５−９７３の回転尾による解決法は、幅広い風力範囲内で機体を安定させる効果がある。
【０００４】
しかし、主ローターの構造については、前述の文献においても、その上半角とピッチや回転効率等の役割が強調されて、主ローターそのものに機体を安定させる機能をもたせる構造が看過されがちであった。
【０００５】
また、主ローターのピッチや上半角の付け方には製作上の煩雑さが伴う。しかも固定されたピッチや上半角では刻々と変化する風力に対応出来ず、組立分解にも難があり、場合によっては回転による危険性もあり、しかも毀損しやすいなどの問題もある。
【考案の開示】
【考案が解決しようとする課題】
【０００６】
解決しようとする問題点は、殊更にピッチや上半角をつけることなく、変化する風力に適応して回転し、しかも安定した飛揚性能を有する主ローターの構造がえられない点である。
【課題を解決するための手段】
【０００７】
ヘリコプター型回転翼凧の主ローターにおいて、数本のロッドと特別なピッチをもたない平面的な軟質シートで成り立ち、このローター型のシートに繋がる錐台の形状をしたシートをローターの回転中心上部に付加し、この主ローターのロッドは上反角をつけることなく回転の軸に単に垂直関係となるように回転ジョイントに取り付けて足りることを特徴とする。
【考案の効果】
【０００８】
本考案におけるヘリコプター型回転翼凧の主ローターは、数本のロッドと平面的なローター型の軟質シートで成り立ち、ピッチや上半角をつけることなく回転ジョイントに取り付け取り外し可能で、シート部分への風圧の変化に対応してローターは回転してピッチと上半角を自然に形成し、回転中心上部の錐台の形状をしたシートは、ローターと伴に回転し、上半角を有しない単に平面的なローターのみでは上下が反転しがちな傾向を防止し、加えてパラシュートのように風に対する方向性が確保され、左右への傾きを是正する。また付随的な効果ではあるが、強風の回転の際にもローターに手を触れても、数本のロッドを軟質シートがカバーする形状であるから危険ではない。
【考案を実施するための最良の形態】
【０００９】
殊更にピッチや上半角をつけることなく、変化する風力に適応して回転し、しかも安定した飛揚性能を有する主ローターを簡単な構造で実現した。
【実施例１】
【００１０】
ヘリコプター型回転翼凧の主ローターのロッド数に限定はないが、風力による回転であることから実施例として最も回転し易く製作も簡単な４本の場合を選択した。即ち、シートは４枚ローターの形状である。
【００１１】
図１の主ローター１は、４本のロッドＡとその各ロッドを平面的に連結した４枚ブレード型の軟質シートＢで成り立ち、ピッチや上半角をつけることなく回転ジョイントＤに取り付けられており、シート部分への風圧の変化に対応してローターは回転してピッチと上半角を自然に形成する。
【００１２】
また、ローターのシートＢと一体である回転中心上部の錐台の形状をしたシートＣは、ローターと伴に回転し、上半角を有しない単に平面的なローターのみでは上下が反転しがちな傾向を防止し、加えてパラシュートのように風に対する方向性が常に保たれ、左右への傾きを是正する。
【００１３】
主ローター１の４本のロッドＡは回転ジョイントＤによって取り付け取り外しが可能である。
【００１４】
主ローターの構造としては、これ以外にロッドＡを補強したり、軟質シートＢのブレード型の先端部分の形状確保のための補助的な骨は特に必要でない。余分な部材なしで、風圧の変化に対応してローターは回転してピッチと上半角を自然に形成する。特に、強風の場合に、形状確保のために必要とされがちなブレード型の先端部分の補助的な骨を設けると、かえって柔軟な回転を阻害する。シートのみの先端部分は、強風になると、実機ヘリコプターのローターと同様の回転音を発し、回転のブレーキにもなる。
【００１５】
図１の２は糸目で、その位置によって揚力に差が生じる。
【００１６】
図１の３は胴体である。単純な一本の丸棒でもよいし、図１の３のようにシートで成形可能である。
【００１７】
図１の５はフレキシブルなシートで、風力によって回転するように作られている。この回転尾５は、糸４によって胴体３に吊り下げられている。風力によって、主ローター１の回転の度合いが強まると、胴体３は左右いずれかに傾き易くなるが、回転尾５もこれに応じて回転の度合いが強まるので、糸Ｄが振り子の役割をして傾こうとする胴体３を常に縦方向に正常な位置に補正する働きを担う。実機ヘリコプターのテールローターの役割をする。
【産業上の利用可能性】
【００１８】
本考案における主ローターを有するヘリコプター型回転翼凧は、自然の風力を利用して回転しながら空に安定して飛揚する興味深い科学教材ともなり、安全でユニークな凧として広く娯楽の対象になるものである。
【図面の簡単な説明】
【００１９】
【図１】本考案の主ローターを有するヘリコプター型回転翼凧。（実施例１）
【符号の説明】
【００２０】
１    主ローター
Ａ    ロッド
Ｂ    ブレード型の軟質シート
Ｃ    錐台の形状をした軟質シート
Ｄ    回転ジョイント
２    糸目
３    胴体
４    吊り糸
５    回転尾
【図１】
0003111012.tif 000003